(57)【要約】【課題】  充電用の接続コードが不要で、使用時に充電も同時行える充電および交換操作を簡便にしたワイヤレスマウスを提供することを目的とする。【解決手段】  移動情報を取得するポインティングデバイスと該ポインティングデバイスにより得られた移動情報を送信する送信手段とを備え二次電池で駆動されるマウス部と、該ポインティングデバイスから送信される移動情報を受信するレシーバ部と、からなるワイヤレスマウスにおいて、前記レシーバ部に前記二次電池と係合する手段と前記二次電池に電力を供給する出力端子を備え、前記マウス部に前記レシーバ部と前記二次電池とをそれぞれ外部から装着収納可能な収納部を備えていることを特徴とする。【選択図】図１
2010218404.tif 000002
【特許請求の範囲】
【請求項１】
移動情報を取得するポインティングデバイスと該ポインティングデバイスにより得られた移動情報を送信する送信手段とを備え二次電池で駆動されるマウス部と、
該ポインティングデバイスから送信される移動情報を受信するレシーバ部と、からなるワイヤレスマウスにおいて、
前記レシーバ部に前記二次電池と係合する手段と前記二次電池に電力を供給する出力端子を備え、
前記マウス部に前記レシーバ部と前記二次電池とをそれぞれ外部から装着収納可能な収納部を備えていることを特徴とするワイヤレスマウス。
【発明の詳細な説明】
【技術分野】
【０００１】
本発明は、ワイヤレスマウスに関し、使用する二次電池の充電および交換操作を簡便にしたワイヤレスマウスに関する。
【背景技術】
【０００２】
コンピュータ装置を操作するためのポインティングデバイスとして、マウスが用いられているが、マウスの移動情報をコンピュータ装置に伝えるために信号伝送コードが用いられると、机上での取り回しが煩雑となるため、近年では、電波等で移動情報をコンピュータ装置に伝送するワイヤレスマウスが普及し始めている。この場合、マウス本体にはマウスの移動情報を送信する送信手段が内蔵され、コンピュータ装置に接続され、マウスの移動情報を受信するレシーバが必要となる。
また、マウス本体は、コンピュータ装置から切り離され、ワイヤレスとなるために、マウスには、移動情報を取得する手段を動作させたり、電波を発信するための電力を供給するための電源が必要となり、電池や二次電池が内蔵されるようになった。そのため、電池の交換や二次電池の充電等の操作が必要となり、これらの操作が簡便に行われるワイヤレスマウスが希求されている。
【０００３】
例えば、マウス本体内に二次電池を有し、この二次電池に充電操作する際には、有線にてレシーバを介するか、または介さずコンピュータ装置から電力供給をうけてワイヤレスマウスに内蔵の二次電池を充電するワイヤレスマウスが提案されている。（例えば特許文献１、２）
【先行技術文献】
【特許文献】
【０００４】
【特許文献１】実３１１３０６７号公報
【特許文献２】特開２００４−２２０３１５号公報
【発明の概要】
【発明が解決しようとする課題】
【０００５】
しかし、これらの従来技術では、ワイヤレスマウスを持ち運ぶ時に充電用の接続コードを持ち運ぶ必要があり、また、接続コードを紛失すると充電ができなくなるという問題があった。
【０００６】
本発明は、上述の問題を解決し、充電用の接続コードが不要で、使用時に充電も同時行える充電および交換操作を簡便にしたワイヤレスマウスを提供することを目的とする。
【課題を解決するための手段】
【０００７】
本発明者らは、ワイヤレスマウスの構成について鋭意検討を重ねた結果、ワイヤレスマウスの構成を下記のようにすることにより、上記目的を達成することができることを見いだし、本発明をなすに至った。
【０００８】
すなわち、移動情報を取得するポインティングデバイスと該ポインティングデバイスにより得られた移動情報を送信する送信手段とを備え二次電池で駆動されるマウス部と、
該マウス部から送信される移動情報を受信するレシーバ部と、からなるワイヤレスマウスにおいて、
前記レシーバ部に前記二次電池と係合する手段と前記二次電池に電力を供給する出力端子を備え、
前記マウス部に前記受信ユニットと前記二次電池とをそれぞれ外部から装着収納可能な収納部を備えていることを特徴とする。
【発明の効果】
【０００９】
ワイヤレスマウスのレシーバ部に二次電池と係合する手段とこの二次電池に電力を供給する出力端子を備えているので、マウス部を使用しながら二次電池を充電することができ、レシーバ部には、この二次電池を外部から装着収納可能な収納部を備えているので、マウス部の二次電池の交換を容易に行うことができる。
【図面の簡単な説明】
【００１０】
【図１】本発明の一例のワイヤレスマウスのマウス部の斜視図である。
【図２】本発明の一例のワイヤレスマウスのマウス部の裏面の平面図である。
【図３】本発明の一例のワイヤレスマウスのレシーバ部の斜視図である。
【図４】本発明の一例のワイヤレスマウスのレシーバ部に接続して、ＵＳＢ機器を使用可能にするためのＵＳＢ機器接続アダプタの斜視図である。
【発明を実施するための形態】
【００１１】
以下に、図面を参照して、本発明のワイヤレスマウスを説明する。
【００１２】
図１に本発明の一例のワイヤレスマウスの斜視図を示す。本実施態様のワイヤレスマウス１００は、マウス部１０と、レシーバ部２０と、二次電池部３０と、から構成される。マウス部１０には、コンピュータ装置を操作するための、左ボタン１７１、右ボタン１７２、ホイール１７３、電池部３０を収納する電池収納部１２０、レシーバ部２０を収納するレシーバ収納部１８３が備えられている。電池収納部１２０には、電池部３０の電力端子３１と電気的に接続され電力の供給を受ける電極ピン２７が備えられている。また、電池部３０の誤挿入を防ぎ、挿入をスムーズにさせるための電池収納レール１２１と電池部３０の抜けを防止するマウス電池ストッパー１２２とが備えられている。
【００１３】
図２に本発明の一例のワイヤレスマウスのマウス部の裏面の平面図を示す。マウス部１０のマウス裏面１８には、板面を照らすＬＥＤ１８２、板面上のマウス部１０の移動情報を読み取るオプティカルセンサ１８１、レシーバ部２０を収納するレシーバ収納部１８３が備えられている。収納部１８３には、レシーバ部２０の着脱に応じて断続するスイッチ１３が設けられている。左ボタン１７１、右ボタン１７２、ホイール１７３、ＬＥＤ１８２およびオプティカルセンサ１８１は、ポインティングデバイスを構成する。
【００１４】
図３に本発明の一例のワイヤレスマウスのレシーバ部の斜視図を示す。レシーバ部２０には、不図示のコンピュータ装置に接続し、マウス部１０からの信号を伝える接続端子２１（例えばＵＳＢ端子など）、受信ユニット２２が含まれる。受信ユニット２２には、電池部３０と後述するＵＳＢ機器接続アダプタ４０に電力を供給する電力ピン２７とＵＳＢ機器接続アダプタ４０に信号を伝送する信号ピン２３が備えられている。さらに、ＵＳＢ機器の動作状態を示すＵＳＢランプ２５、充電状態を示す充電ランプ２６が配置されている。また、電池部３０やＵＳＢ機器接続アダプタ４０を係合した時に係合が外れるのを防止するストッパー２４が設けられている。
【００１５】
電池部３０は、レシーバ部２０の上面にスライドして係合できる構造になっており、レシーバ部２０の電力ピン２７と電気的に接続され、電力の供給を受ける電力端子３１が設けられている。電池部３０の内部には、充電電圧および充電電流を制御する不図示の充電回路と不図示の二次電池とが配置されている。また、電池部３０の、レシーバ部２０に電池部３０を係合させる時の進行方向後部には、ストッパー２４を受けて、電池部３０の係合外れを防止するストッパー受け３２が設けられている。
【００１６】
本発明のワイヤレスマウス１００には、２個の電池部３０が用意されることが好ましい。充電済みの１個の電池部３０をマウス部１０の電池収納部１２０に収納してマウス部を動作状態にすると共に、別の１個の電池部３０をレシーバ部２０に係合した後に、レシーバ部２０をコンピュータ装置に接続してコンピュータ装置を操作可能にするとともに、レシーバ部２０に係合した電池部３０にはレシーバ部２０を介してコンピュータ装置から電力が供給されて充電が行われる。マウス部１０の電池収納部１２０に収納した電池部３０の電池容量が少なくなって使用できなくなった場合には、レシーバ部２０に係合している電池と交換して充電することができる。
【００１７】
長時間使用しないときは、レシーバ部２０に電池部３０を係合した状態でマウス裏面１８のレシーバ収納部１８３に収納することができる。レシーバ部２０を収納すると、スイッチ１３が遮断されて、マウス部の各電気パーツへの電力供給が遮断される。
【００１８】
また、図４に斜視図で示したような、電池部３０の代わりにレシーバ部２０に係合させるＵＳＢ機器接続アダプタ４０を、さらに用意してもよい。ＵＳＢ機器接続アダプタ４０は、レシーバ部２０にＵＳＢ機器接続アダプタ４０を係合させる時の進行方向前部にレシーバ部の信号ピン２３、電力ピン２７と電気的に接続するＵＳＢ信号端子４４、ＵＳＢ電力端子４１が設けられ、後部にこれらと結線されたＵＳＢ端子（メス）４５とストッパー２４を受けて、ＵＳＢ機器接続アダプタ４０の係合外れを防止するＵＳＢストッパー受け４２が設けられている。電池部３０が充電不要の時は、レシーバ部２０に電池部３０を係合するかわりにＵＳＢ機器接続アダプタ４０を係合すると、ＵＳＢ端子（メス）４５に、任意のＵＳＢ機器を接続して使用することができる。
【符号の説明】
【００１９】
１０    マウス部
１３    スイッチ
１８    マウス裏面
２０    レシーバ部
２１    接続端子
２２    受信ユニット
２３    信号ピン
２４    ストッパー
２５    USBランプ
２６    充電ランプ
２７    電力ピン
３０    電池部
３１    電力端子
３２    ストッパー受け
３３    マウス用ストッパー受け
４０    ＵＳＢ機器接続アダプタ
４１    ＵＳＢ電力端子
４２    ＵＳＢストッパー受け
４４    ＵＳＢ信号端子
４５    ＵＳＢ端子（メス）
１００  ワイヤレスマウス
１２０  電池収納部
１２１  電池収納レール
１２２  マウス電池ストッパー
１７１  左ボタン
１７２  右ボタン
１７３  ホイール
１８１  オプティカルセンサ
１８２  ＬＥＤ  
１８３  レシーバ収納部      
【図１】
2010218404.tif 000003
【図２】
2010218404.tif 000004
【図３】
2010218404.tif 000005
【図４】
2010218404.tif 000006